(57)【要約】  本実施形態に係る通信制御方法は、ユーザ端末のトラフィックを収容するアクセスネットワークを選択可能な通信システムにおいて用いられる。前記ユーザ端末が、所定の無線ＬＡＮを示す識別情報をセルラＲＡＮから受信するステップＡと、前記ユーザ端末が、前記識別情報によって示される前記所定の無線ＬＡＮを、前記アクセスネットワークを選択した後の接続先として優先させるステップＢと、を備える。前記ステップＢにおいて、前記所定の無線ＬＡＮが前記ユーザ端末のユーザが好む無線ＬＡＮでない場合には、前記ユーザ端末が、前記所定の無線ＬＡＮよりも前記ユーザが好む無線ＬＡＮを優先させる。
2015093569.tif 000002
【特許請求の範囲】
【請求項１】
ユーザ端末のトラフィックを収容するアクセスネットワークを選択可能な通信システムにおいて用いられる通信制御方法であって、
前記ユーザ端末が、所定の無線ＬＡＮを示す識別情報をセルラＲＡＮから受信するステップＡと、
前記ユーザ端末が、前記識別情報によって示される前記所定の無線ＬＡＮを、前記アクセスネットワークを選択した後の接続先として優先させるステップＢと、を備え、
前記ステップＢにおいて、前記所定の無線ＬＡＮが前記ユーザ端末のユーザが好む無線ＬＡＮでない場合には、前記ユーザ端末が、
前記所定の無線ＬＡＮよりも前記ユーザが好む無線ＬＡＮを優先させることを特徴とする通信制御方法。
【請求項２】
前記ユーザが好むと推定される無線ＬＡＮが前記ユーザが好まないと推定される無線ＬＡＮよりも優先されるための選択パラメータを前記ユーザ端末が前記セルラＲＡＮから受信するステップをさらに備え、
前記ステップＢにおいて、前記ユーザ端末は、前記選択パラメータに基づいて、前記ユーザが好む無線ＬＡＮを優先させることを特徴とする請求項１に記載の通信制御方法。
【請求項３】
前記ユーザ端末が、前記選択パラメータに基づいて、前記ユーザが好む無線ＬＡＮ以外の無線ＬＡＮを前記接続先として選択することが好ましいと判定した場合、前記アクセスネットワークを選択するための動作を開始するステップをさらに備えることを特徴とする請求項２に記載の通信制御方法。
【請求項４】
前記ユーザ端末が、前記ユーザが好む無線ＬＡＮと接続している場合、前記ステップＢを省略することを特徴とする請求項１に記載の通信制御方法。
【請求項５】
前記選択パラメータは、前記接続先として前記ユーザが好まない無線ＬＡＮを選択することが不可能な値であることを特徴とする請求項２に記載の通信制御方法。
【請求項６】
前記ユーザが好む無線ＬＡＮは、オペレータが管理しない無線ＬＡＮであり、
前記ユーザが好まない無線ＬＡＮは、オペレータが管理する無線ＬＡＮであることを特徴とする請求項１に記載の通信制御方法。
【請求項７】
ユーザ端末のトラフィックを収容するアクセスネットワークを選択可能な通信システムにおいて用いられる通信制御方法であって、
前記ユーザ端末が、収容ネットワークの選択規則に基づいて前記アクセスネットワークを選択して、当該選択したアクセスネットワークに前記ユーザ端末のトラフィックを収容するために接続先を切り替えるステップを備え、
前記ステップにおいて、前記ユーザ端末は、ユーザが好む無線ＬＡＮと接続している場合には、前記接続先の切り替えよりも、前記ユーザが好む無線ＬＡＮとの接続を優先させることを特徴とする通信制御方法。
【請求項８】
ユーザ端末のトラフィックを収容するアクセスネットワークを選択可能な通信システムにおいて用いられる通信制御方法であって、
前記ユーザ端末が、所定の無線ＬＡＮを示す識別情報をセルラＬＡＮから受信するステップＡと、
前記ユーザ端末が、前記識別情報によって示される前記所定の無線ＬＡＮを、前記アクセスネットワークを選択した後の接続先の候補とするステップＢと、を備え、
前記ステップＢにおいて、前記ユーザ端末は、ユーザの好みに基づいて、前記アクセスネットワークを選択した後の接続先の候補から前記所定の無線ＬＡＮを外すことを特徴とする通信制御方法。
【請求項９】
前記ユーザ端末に、前記ユーザの好みを示す情報が登録されるステップをさらに備え、
前記ステップＢにおいて、前記ユーザ端末が、前記登録されたユーザの好みを示す情報に基づいて、前記所定の無線ＬＡＮが前記ユーザが好まない無線ＬＡＮであると判定した場合、前記所定の無線ＬＡＮを前記接続先の候補から外すことを特徴とする請求項８に記載の通信制御方法。
【請求項１０】
前記ステップＢにおいて、前記ユーザ端末が、前記ユーザの好みに基づいて、前記所定の無線ＬＡＮと異なる他の無線ＬＡＮを、前記接続先の候補に含めることを特徴とする請求項８に記載の通信制御方法。
【請求項１１】
前記ユーザの好みは、オペレータが管理する無線ＬＡＮよりもオペレータが管理しない無線ＬＡＮを優先することを示すことを特徴とする請求項８に記載の通信制御方法。
【請求項１２】
ユーザ端末のトラフィックを収容するアクセスネットワークを選択可能な通信システムにおいて用いられる通信制御方法であって、
前記ユーザ端末が、無線ＬＡＮから所定のパラメータを取得するステップと、
前記ユーザ端末が、前記取得した所定のパラメータに関する報告を前記セルラＲＡＮに送信する報告ステップと、を備え、
前記報告ステップにおいて、前記ユーザ端末は、ユーザの好みに基づいて決定された前記無線ＬＡＮの優先度を、前記報告に含めることを特徴とする通信制御方法。
【請求項１３】
ユーザ端末のトラフィックを収容するアクセスネットワークを選択可能な通信システムにおいて用いられる通信制御方法であって、
前記ユーザ端末が、所定の無線ＬＡＮを示す識別情報を前記セルラＲＡＮから受信するステップと、
前記ユーザ端末が、前記所定の無線ＬＡＮから取得した所定のパラメータに関する報告を前記セルラＲＡＮに送信する報告ステップと、を備え、
前記報告ステップにおいて、前記ユーザ端末は、前記所定の無線ＬＡＮとは異なる他の無線ＬＡＮから取得した所定のパラメータに関する情報を、前記報告に含めることを特徴とする通信制御方法。
【請求項１４】
ユーザ端末のトラフィックを収容するアクセスネットワークを選択可能な通信システムにおいて用いられる通信制御方法であって、
前記ユーザ端末が、複数の無線ＬＡＮからの無線信号を測定するステップと、
前記ユーザ端末が、前記複数の無線ＬＡＮのうち少なくとも１以上の無線ＬＡＮからの前記無線信号の測定結果が所定の条件を満たした場合に、前記測定結果に関する報告を前記セルラＲＡＮに送信する報告ステップと、を備え、
前記報告ステップにおいて、前記ユーザ端末は、前記所定の条件を満たした前記無線信号の測定結果だけでなく、前記所定の条件を満たしていない前記無線信号の測定結果も前記報告に含めて、前記報告を送信することを特徴とする通信制御方法。
【請求項１５】
前記報告ステップにおいて、前記ユーザ端末は、前記複数の無線ＬＡＮの全ての測定結果を前記報告に含めることを特徴とする請求項１４に記載の通信制御方法。
【請求項１６】
ユーザ端末のトラフィックを収容するアクセスネットワークを選択可能な通信システムにおいて用いられる通信制御方法であって、
前記ユーザ端末が、無線ＬＡＮを示す識別情報をセルラＲＡＮ又はＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバから受信するステップと、
前記ユーザ端末が、所定の無線ＬＡＮからの無線信号を測定するステップと、
前記ユーザ端末が、前記所定の無線ＬＡＮからの前記無線信号の測定結果に関する報告を前記セルラＲＡＮに送信する報告ステップと、を備え、
前記報告ステップにおいて、前記ユーザ端末は、前記所定の無線ＬＡＮが前記識別情報によって示される前記無線ＬＡＮと一致しない場合、前記報告を送信しないことを特徴とする通信制御方法。
【発明の詳細な説明】
【技術分野】
【０００１】
本発明は、無線ＬＡＮシステムと連携可能なセルラ通信システムにおいて用いられる通信制御方法に関する。
【背景技術】
【０００２】
近年、セルラ通信及び無線ＬＡＮ（Ｌｏｃａｌ  Ａｒｅａ  Ｎｅｔｗｏｒｋ）通信を有するユーザ端末（いわゆる、デュアル端末）の普及が進んでいる。また、セルラ通信システムのオペレータにより管理される無線ＬＡＮアクセスポイントが増加している。【０００３】
そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラＲＡＮ（Ｒａｄｉｏ  Ａｃｃｅｓｓ  Ｎｅｔｗｏｒｋ）及び無線ＬＡＮの連携を強化できる技術が検討されている（非特許文献１参照）。【０００４】
例えば、セルラＲＡＮ（セルラアクセスネットワーク）が収容しているユーザ端末のトラフィックを、無線ＬＡＮ（無線ＬＡＮアクセスネットワーク）が収容するよう切り替えることにより、セルラＲＡＮのトラフィック負荷を削減することができる（オフロード）。
【先行技術文献】
【非特許文献】
【０００５】
【非特許文献１】３ＧＰＰ技術報告書  「ＴＲ  ３７．８３４  Ｖ１．０．０」    ２０１３年８月
【発明の概要】
【０００６】
しかしながら、ユーザ端末のトラフィックを収容するアクセスネットワークが選択される際に、ユーザ端末（ユーザ）にとって適切な接続先が選択されるとは限らない。
【０００７】
そこで、本発明は、ユーザ端末のトラフィックを収容するアクセスネットワークが選択される際に適切な接続先を選択可能な通信制御方法を提供することを目的とする。
【課題を解決するための手段】
【０００８】
一の実施形態に係る通信制御方法は、ユーザ端末のトラフィックを収容するアクセスネットワークを選択可能な通信システムにおいて用いられる。前記ユーザ端末が、所定の無線ＬＡＮを示す識別情報をセルラＲＡＮから受信するステップＡと、前記ユーザ端末が、前記識別情報によって示される前記所定の無線ＬＡＮを、前記アクセスネットワークを選択した後の接続先として優先させるステップＢと、を備える。前記ステップＢにおいて、前記所定の無線ＬＡＮが前記ユーザ端末のユーザが好む無線ＬＡＮでない場合には、前記ユーザ端末が、
前記所定の無線ＬＡＮよりも前記ユーザが好む無線ＬＡＮを優先させる。
【図面の簡単な説明】
【０００９】
【図１】図１は、第１実施形態に係るシステム構成図である。
【図２】図２は、ＵＥ１００のブロック図である。
【図３】図３は、ｅＮＢ２００のブロック図である。
【図４】図４は、ＡＰ３００のブロック図である。
【図５】図５は、セルラ通信システムにおける無線インターフェイスのプロトコルスタック図である。
【図６】図６は、実施形態に係る動作環境を説明するための図である。
【図７】図７は、第１実施形態に係る動作シーケンス図である。
【図８】図８は、第１実施形態に係るＷＬＡＮ３０を優先付けを説明するためのフローチャートである。
【図９】図９は、第２実施形態に係る動作シーケンス１を説明するためのシーケンス図である。
【図１０】図１０は、第２実施形態に係る動作シーケンス２を説明するためのシーケンス図である。
【図１１】図１１は、第２実施形態に係る動作シーケンス３を説明するためのシーケンス図である。
【図１２】図１２は、第２実施形態に係る動作シーケンス４を説明するためのシーケンス図である。
【図１３】図１３は、ＵＥ１００がＷＬＡＮ測定報告に含めるＡＰ３００を選択するためのフローチャートである。
【発明を実施するための形態】
【００１０】
［実施形態の概要］
第１実施形態に係る通信制御方法は、ユーザ端末のトラフィックを収容するアクセスネットワークを選択可能な通信システムにおいて用いられる。前記ユーザ端末が、所定の無線ＬＡＮを示す識別情報をセルラＲＡＮから受信するステップＡと、前記ユーザ端末が、前記識別情報によって示される前記所定の無線ＬＡＮを、前記アクセスネットワークを選択した後の接続先として優先させるステップＢと、を備える。前記ステップＢにおいて、前記所定の無線ＬＡＮが前記ユーザ端末のユーザが好む無線ＬＡＮでない場合には、前記ユーザ端末が、前記所定の無線ＬＡＮよりも前記ユーザが好む無線ＬＡＮを優先させる。
【００１１】
第１実施形態に係る通信制御方法は、前記ユーザが好むと推定される無線ＬＡＮが前記ユーザが好まないと推定される無線ＬＡＮよりも優先されるための選択パラメータを前記ユーザ端末が前記セルラＲＡＮから受信するステップをさらに備える。前記ステップＢにおいて、前記ユーザ端末は、前記選択パラメータに基づいて、前記ユーザが好む無線ＬＡＮを優先させる。
【００１２】
第１実施形態に係る通信制御方法は、前記ユーザ端末が、前記選択パラメータに基づいて、前記ユーザが好む無線ＬＡＮ以外の無線ＬＡＮを前記接続先として選択することが好ましいと判定した場合、前記アクセスネットワークを選択するための動作を開始するステップをさらに備える。
【００１３】
第１実施形態において、前記ユーザ端末が、前記ユーザが好む無線ＬＡＮと接続している場合、前記ステップＢを省略する。
【００１４】
第１実施形態において、前記選択パラメータは、前記接続先として前記ユーザが好まない無線ＬＡＮを選択することが不可能な値である。
【００１５】
第１において、前記ユーザが好む無線ＬＡＮは、オペレータが管理しない無線ＬＡＮであり、前記ユーザが好まない無線ＬＡＮは、オペレータが管理する無線ＬＡＮである。
【００１６】
第１実施形態に係る通信制御方法は、ユーザ端末のトラフィックを収容するアクセスネットワークを選択可能な通信システムにおいて用いられる。前記通信制御方法は、前記ユーザ端末が、収容ネットワークの選択規則に基づいて前記アクセスネットワークを選択して、当該選択したアクセスネットワークに前記ユーザ端末のトラフィックを収容するために接続先を切り替えるステップを備える。前記ステップにおいて、前記ユーザ端末は、ユーザが好む無線ＬＡＮと接続している場合には、前記接続先の切り替えよりも、前記ユーザが好む無線ＬＡＮとの接続を優先させる。
【００１７】
第１実施形態に係る通信制御方法は、ユーザ端末のトラフィックを収容するアクセスネットワークを選択可能な通信システムにおいて用いられる。前記通信制御方法は、前記ユーザ端末が、所定の無線ＬＡＮを示す識別情報をセルラＬＡＮから受信するステップＡと、前記ユーザ端末が、前記識別情報によって示される前記所定の無線ＬＡＮを、前記アクセスネットワークを選択した後の接続先の候補とするステップＢと、を備える。前記ステップＢにおいて、前記ユーザ端末は、ユーザの好みに基づいて、前記アクセスネットワークを選択した後の接続先の候補から前記所定の無線ＬＡＮを外す。
【００１８】
第１実施形態に係る通信制御方法は、前記ユーザ端末に、前記ユーザの好みを示す情報が登録されるステップをさらに備える。前記ステップＢにおいて、前記ユーザ端末が、前記登録されたユーザの好みを示す情報に基づいて、前記所定の無線ＬＡＮが前記ユーザが好まない無線ＬＡＮであると判定した場合、前記所定の無線ＬＡＮを前記接続先の候補から外す。
【００１９】
第１実施形態において、前記ステップＢにおいて、前記ユーザ端末が、前記ユーザの好みに基づいて、前記所定の無線ＬＡＮと異なる他の無線ＬＡＮを、前記接続先の候補に含める。
【００２０】
第１実施形態において、前記ユーザの好みは、オペレータが管理する無線ＬＡＮよりもオペレータが管理しない無線ＬＡＮを優先する。
【００２１】
第２実施形態に係る通信制御方法は、ユーザ端末のトラフィックを収容するアクセスネットワークを選択可能な通信システムにおいて用いられる。当該通信制御方法は、前記ユーザ端末が、無線ＬＡＮから所定のパラメータを取得するステップと、前記ユーザ端末が、前記取得した所定のパラメータに関する報告を前記セルラＲＡＮに送信する報告ステップと、を備える。前記報告ステップにおいて、前記ユーザ端末は、ユーザの好みに基づいて決定された前記無線ＬＡＮの優先度を、前記報告に含める。
【００２２】
第２実施形態に係る通信制御方法は、ユーザ端末のトラフィックを収容するアクセスネットワークを選択可能な通信システムにおいて用いられる。当該通信制御方法は、前記ユーザ端末が、所定の無線ＬＡＮを示す識別情報を前記セルラＲＡＮから受信するステップと、前記ユーザ端末が、前記所定の無線ＬＡＮから取得した所定のパラメータに関する報告を前記セルラＲＡＮに送信する報告ステップと、を備える。前記報告ステップにおいて、前記ユーザ端末は、前記所定の無線ＬＡＮとは異なる他の無線ＬＡＮから取得した所定のパラメータに関する情報を、前記報告に含める。
【００２３】
第２実施形態に係る通信制御方法は、ユーザ端末のトラフィックを収容するアクセスネットワークを選択可能な通信システムにおいて用いられる。前記通信制御方法は、前記ユーザ端末が、複数の無線ＬＡＮからの無線信号を測定するステップと、前記ユーザ端末が、前記複数の無線ＬＡＮのうち少なくとも１以上の無線ＬＡＮからの前記無線信号の測定結果が所定の条件を満たした場合に、前記測定結果に関する報告を前記セルラＲＡＮに送信する報告ステップと、を備える。前記報告ステップにおいて、前記ユーザ端末は、前記所定の条件を満たした前記無線信号の測定結果だけでなく、前記所定の条件を満たしていない前記無線信号の測定結果も前記報告に含めて、前記報告を送信する。
【００２４】
第２実施形態において、前記報告ステップにおいて、前記ユーザ端末は、前記複数の無線ＬＡＮの全ての測定結果を前記報告に含める。
【００２５】
第２実施形態に係る通信制御方法は、ユーザ端末のトラフィックを収容するアクセスネットワークを選択可能な通信システムにおいて用いられる。前記通信制御方法は、前記ユーザ端末が、無線ＬＡＮを示す識別情報をセルラＲＡＮ又はＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバから受信するステップと、前記ユーザ端末が、所定の無線ＬＡＮからの無線信号を測定するステップと、前記ユーザ端末が、前記所定の無線ＬＡＮからの前記無線信号の測定結果に関する報告を前記セルラＲＡＮに送信する報告ステップと、を備える。前記報告ステップにおいて、前記ユーザ端末は、前記所定の無線ＬＡＮが前記識別情報によって示される前記無線ＬＡＮと一致しない場合、前記報告を送信しない。
【００２６】
［第１実施形態］
以下、図面を参照して、３ＧＰＰ規格に準拠して構成されるセルラ通信システム（ＬＴＥシステム）を無線ＬＡＮ（ＷＬＡＮ）システムと連携させる場合の実施形態を説明する。
【００２７】
（システム構成）
図１は、第１実施形態に係るシステム構成図である。図１に示すように、セルラ通信システムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００２８】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、セルラ通信システムのネットワークを構成する。
【００２９】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００３０】
Ｅ−ＵＴＲＡＮ１０は、複数のｅＮＢ２００（ｅｖｏｌｖｅｄ  Ｎｏｄｅ−Ｂ）を含む。ｅＮＢ２００はセルラ基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００３１】
ｅＮＢ２００は、Ｘ２インターフェイスを介して相互に接続される。また、ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００と接続される。
【００３２】
ＥＰＣ２０は、複数のＭＭＥ／Ｓ−ＧＷ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３３】
ＷＬＡＮ３０は、ＷＬＡＮアクセスポイント（以下、単に「ＡＰ」という）３００を含む。ＡＰ３００は、例えばセルラ通信システムのオペレータにより管理されるＡＰ（Ｏｐｅｒａｔｏｒ  ｃｏｎｔｒｏｌｌｅｄ  ＡＰ）である。
【００３４】
ＷＬＡＮ３０は、例えばＩＥＥＥ  ８０２．１１諸規格に準拠して構成される。ＡＰ３００は、セルラ周波数帯とは異なる周波数帯（ＷＬＡＮ周波数帯）でＵＥ１００との通信を行う。ＡＰ３００は、ルータなどを介してＥＰＣ２０に接続される。
【００３５】
また、ｅＮＢ２００及びＡＰ３００が個別に配置される場合に限らず、ｅＮＢ２００及びＡＰ３００が同じ場所に配置（Ｃｏｌｌｏｃａｔｅｄ）されていてもよい。Ｃｏｌｌｏｃａｔｅｄの一形態として、ｅＮＢ２００及びＡＰ３００がオペレータの任意のインターフェイスで直接的に接続されていてもよい。
【００３６】
ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバ６００をさらに含む。ＡＮＤＳＦサーバ６００は、ＷＬＡＮ３０に関するＡＮＤＳＦ情報を管理する。ＡＮＤＳＦサーバ６００は、ＮＡＳ（Ｎｏｎ  Ａｃｃｅｓｓ  Ｓｔｒａｔｕｍ）メッセージにより、ＷＬＡＮ３０に関するＡＮＤＳＦ情報をＵＥ１００に提供する。
【００３７】
なお、ＵＥ１００がＨ−ＰＬＭＮ（Ｈｏｍｅ  Ｐｕｂｌｉｃ  Ｌａｎｄ  Ｍｏｂｉｌｅ  Ｎｅｔｗｏｒｋ）において利用するＡＮＤＳＦサーバ６００は、Ｈ−ＡＮＤＳＦサーバと称される。ＵＥ１００がＶ−ＰＬＭＮ（Ｖｉｓｉｔｅｄ  Ｐｕｂｌｉｃ  Ｌａｎｄ  Ｍｏｂｉｌｅ  Ｎｅｔｗｏｒｋ）においてローミング中に利用するＡＮＤＳＦサーバ６００は、Ｖ−ＡＮＤＳＦサーバと称される。
【００３８】
次に、ＵＥ１００、ｅＮＢ２００、及びＡＰ３００の構成を説明する。
【００３９】
図２は、ＵＥ１００のブロック図である。図２に示すように、ＵＥ１００は、アンテナ１０１及び１０２と、セルラ通信部１１１と、ＷＬＡＮ通信部１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４０】
アンテナ１０１及びセルラ通信部１１１は、セルラ無線信号の送受信に用いられる。セルラ通信部１１１は、プロセッサ１６０が出力するベースバンド信号をセルラ無線信号に変換してアンテナ１０１から送信する。また、セルラ通信部１１１は、アンテナ１０１が受信するセルラ無線信号をベースバンド信号に変換してプロセッサ１６０に出力する。
【００４１】
アンテナ１０２及びＷＬＡＮ通信部１１２は、ＷＬＡＮ無線信号の送受信に用いられる。ＷＬＡＮ通信部１１２は、プロセッサ１６０が出力するベースバンド信号をＷＬＡＮ無線信号に変換してアンテナ１０２から送信する。また、ＷＬＡＮ通信部１１２は、アンテナ１０２が受信するＷＬＡＮ無線信号をベースバンド信号に変換してプロセッサ１６０に出力する。
【００４２】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４３】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００４４】
図３は、ｅＮＢ２００のブロック図である。図３に示すように、ｅＮＢ２００は、アンテナ２０１と、セルラ通信部２１０と、ネットワークインターフェイス２２０と、メモリ２３０と、プロセッサ２４０と、を有する。メモリ２３０及びプロセッサ２４０は、制御部を構成する。
【００４５】
アンテナ２０１及びセルラ通信部２１０は、セルラ無線信号の送受信に用いられる。セルラ通信部２１０は、プロセッサ２４０が出力するベースバンド信号をセルラ無線信号に変換してアンテナ２０１から送信する。また、セルラ通信部２１０は、アンテナ２０１が受信するセルラ無線信号をベースバンド信号に変換してプロセッサ２４０に出力する。
【００４６】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。また、ネットワークインターフェイス２２０は、ＥＰＣ２０を介したＡＰ３００との通信に使用される。
【００４７】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４８】
図４は、ＡＰ３００のブロック図である。図４に示すように、ＡＰ３００は、アンテナ３０１と、ＷＬＡＮ通信部３１１と、ネットワークインターフェイス３２０と、メモリ３３０と、プロセッサ３４０と、を有する。
【００４９】
アンテナ３０１及びＷＬＡＮ通信部３１１は、ＷＬＡＮ無線信号の送受信に用いられる。ＷＬＡＮ通信部３１１は、プロセッサ３４０が出力するベースバンド信号をＷＬＡＮ無線信号に変換してアンテナ３０１から送信する。また、ＷＬＡＮ通信部３１１は、アンテナ３０１が受信するＷＬＡＮ無線信号をベースバンド信号に変換してプロセッサ３４０に出力する。
【００５０】
ネットワークインターフェイス３２０は、ルータなどを介してＥＰＣ２０と接続される。また、ネットワークインターフェイス３２０は、ＥＰＣ２０を介したｅＮＢ２００との通信に使用される。
【００５１】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。
【００５２】
図５は、セルラ通信システムにおける無線インターフェイスのプロトコルスタック図である。図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５３】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００５４】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを選択するスケジューラを含む。
【００５５】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５６】
ＰＤＣＰレイヤは、ヘッダ圧縮・伸張、及び暗号化・復号化を行う。
【００５７】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はセルラ通信の接続状態（ＲＲＣ接続状態）であり、そうでない場合、ＵＥ１００はセルラ通信のアイドル状態（ＲＲＣアイドル状態）である。
【００５８】
ＲＲＣレイヤの上位に位置するＮＡＳレイヤは、セッション管理及びモビリティ管理などを行う。ＭＭＥ３００及びＡＮＤＳＦサーバ６００は、ＮＡＳメッセージをＵＥ１００と送受信する。
【００５９】
（動作概要）
図６は、実施形態に係る動作環境を説明するための図である。図６に示すように、ｅＮＢ２００のセルのカバレッジ内に複数のＡＰ３００が設けられている。また、ｅＮＢ２００のセルのカバレッジ内に複数のＵＥ１００が在圏している。ＵＥ１００は、ｅＮＢ２００との接続を確立しており、ｅＮＢ２００とのセルラ通信を行っている。具体的には、ＵＥ１００は、トラフィック（ユーザデータ）を含んだセルラ無線信号をｅＮＢ２００と送受信している。
【００６０】
このような動作環境において、ｅＮＢ２００（Ｅ−ＵＴＲＡＮ１０）が収容しているＵＥ１００のトラフィックを、ＡＰ３００（ＷＬＡＮ３０）が収容するよう切り替えるトラフィック・ステアリングにより、ｅＮＢ２００のトラフィック負荷を削減することができる（オフロード）。トラフィック・ステアリングには、ＵＥ１００の接続先をｅＮＢ２００とＡＰ３００との間で切り替える場合と、ＵＥ１００がｅＮＢ２００及びＡＰ３００の両方に接続しつつデータパスをｅＮＢ２００とＡＰ３００との間で切り替える場合と、がある。
【００６１】
また、Ｅ−ＵＴＲＡＮ１０及びＷＬＡＮ３０の中からＵＥ１００のトラフィックを収容するアクセスネットワーク（以下、「収容ネットワーク」という）を選択するためのネットワーク選択方式として、複数のネットワーク選択方式が存在する。
【００６２】
複数のネットワーク選択方式は、収容ネットワークを決定する主体が異なる。例えば、複数のネットワーク選択方式は、収容ネットワークの決定権をＵＥ１００が持つ方式と、収容ネットワークの決定権をＥ−ＵＴＲＡＮ１０が持つ方式と、を含む。
【００６３】
或いは、複数のネットワーク選択方式は、収容ネットワークの選択規則を提供する方式が異なる。例えば、複数のネットワーク選択方式は、収容ネットワークの選択規則をＡＮＤＳＦサーバ６００からのみ提供する方式と、収容ネットワークの選択規則を３ＧＰＰ  ＲＡＮにおける仕様で策定されたルールに基づいて提供可能な方式と、を含む。
【００６４】
実施形態では、ネットワーク選択方式のうちＥ−ＵＴＲＡＮ１０が関与するネットワーク選択方式（以下、「ＲＡＮ  Ｓｏｌｕｔｉｏｎ」という）を主な対象とする。
【００６５】
ＲＡＮ  Ｓｏｌｕｔｉｏｎ１は、収容ネットワークの選択規則をＡＮＤＳＦサーバ６００からのみ提供する方式であって、かつ収容ネットワークの決定権をＵＥ１００が持つ方式である。Ｅ−ＵＴＲＡＮ１０は、ＵＥ１００に対して補助情報（選択パラメータなど）を提供する。
【００６６】
ＲＡＮ  Ｓｏｌｕｔｉｏｎ２は、収容ネットワークの選択規則を３ＧＰＰ  ＲＡＮにおける仕様で策定されたルールに基づいて提供可能な方式であって、かつ収容ネットワークの決定権をＵＥ１００が持つ方式である。なお、収容ネットワークの選択規則をＡＮＤＳＦサーバ６００からも提供可能である。
【００６７】
ＲＡＮ  Ｓｏｌｕｔｉｏｎ３は、ＲＡＮ  Ｓｏｌｕｔｉｏｎ１及び２とは異なり、収容ネットワークの決定権をＥ−ＵＴＲＡＮ１０が持つ方式である。ＲＡＮ  Ｓｏｌｕｔｉｏｎ３では、ＬＴＥシステムのハンドオーバ手順と同様な手順でＥ−ＵＴＲＡＮ１０が収容ネットワークを決定する。
【００６８】
実施形態において、ＵＥ１００は、ユーザの好み（ｕｓｅｒ  ｐｒｅｆｅｒｅｎｃｅ）のＷＬＡＮ３０に関する選好リスト（ｐｒｅｆｅｒｅｎｃｅ  ｌｉｓｔ）を保持している。選好リストは、ユーザが好むＷＬＡＮ３０を示す情報（例えば、ユーザが好むＷＬＡＮ３０の識別子）が登録されている。選好リストは、ユーザが好まないＷＬＡＮ３０を示す情報が登録されてもよい。
【００６９】
ＵＥ１００は、ユーザの操作によって入力されたユーザが好むＷＬＡＮ３０を示す情報を選好リストに登録してもよいし、所定のサーバのアドレスをユーザが入力することによって、所定のサーバから取得したユーザが好むＷＬＡＮ３０を示す情報を選好リストに登録してもよい。
【００７０】
ユーザが好むＷＬＡＮ３０は、例えば、オペレータが管理しないＡＰ３００、具体的には、ユーザが管理する自宅ＡＰである。一方、ユーザが好まないＷＬＡＮ３０は、例えば、オペレータが管理するＡＰ３００である。
【００７１】
本実施形態では、ＲＡＮ  Ｓｏｌｕｔｉｏｎ１及びＲＡＮ  Ｓｏｌｕｔｉｏｎ２に関して説明する。
【００７２】
（動作具体例）
図７は、第１実施形態に係る動作シーケンス図である。
【００７３】
図７に示すように、ステップＳ１０１において、ｅＮＢ２００は、システムインフォメーション（Ｓｙｓｔｅｍ  Ｉｎｆｏｒｍａｔｉｏｎ）又はＲＲＣメッセージ（ＲＲＣ  ｍｅｓｓａｇｅ）を用いて、ＷＬＡＮ３０に関するＷＬＡＮ制御情報をＵＥ１００に送信する。
【００７４】
ＷＬＡＮ制御情報は、ＷＬＡＮ３０を示す識別子、及び、ユーザが好むと推定されるＷＬＡＮ３０がユーザが好まないと推定されるＷＬＡＮ３０よりも優先的に選択されるための選択パラメータの少なくとも１つを含む。ＷＬＡＮ３０を示す識別子は、セルラＲＡＮから指定されたＷＬＡＮ３０を示す識別子である。
【００７５】
ステップＳ１０２において、ＵＥ１００は、ＷＬＡＮ３０の優先付けを行う。
【００７６】
ＵＥ１００は、周囲のＡＰ３００から信号（例えば、ビーコン信号）を受信するための測定を行う。次に、ＵＥ１００は、ＡＰ３００からの信号に基づいて、ＷＬＡＮパラメータを取得する。ＷＬＡＮパラメータは、ＡＰ３００からの信号の受信レベル（例えば、ＲＳＳＩ）、ＡＰ３００からの信号に含まれるＡＰ３００の情報（例えば、ＡＰ３００の負荷状況（Ｌｏａｄ  ｓｔａｔｕｓ）、ＡＰ３００のチャネル利用率（ＣｈａｎｎｅｌＵｔｉｌｉｚａｔｉｏｎ）、下りリンクにおいて利用可能なＷＬＡＮバックホールの伝送レート（ＢａｃｋｈａｕｌＲａｔｅＤｌ）、上りリンクにおいて利用可能なＷＬＡＮバックホールの伝送レート（ＢａｃｋｈａｕｌＲａｔｅＵｌ））などである。なお、上述の負荷状況、チャネル利用率、ＷＬＡＮバックホールの伝送レートは、ビーコン信号に含まれていてもよい。
【００７７】
ＵＥ１００は、ＷＬＡＮ制御情報に含まれるＷＬＡＮ３０の識別子が、ユーザが好むＷＬＡＮ３０の識別子である場合、ＷＬＡＮ制御情報に含まれるＷＬＡＮ３０を優先させる。一方、ＷＬＡＮ制御情報に含まれるＷＬＡＮ３０の識別子が、ユーザが好むＷＬＡＮ３０の識別子でない場合、ユーザが好む他のＷＬＡＮ３０を優先させる。
【００７８】
具体的には、以下の方法のいずれかにより、ＷＬＡＮ３０を優先付けを行うことができる。
【００７９】
第１に、ＵＥ１００は、選択パラメータを用いずに、ＷＬＡＮ３０を優先付ける。具体的には、ＵＥ１００は、信号を受信できたＡＰ３００の中から、以下の条件を満たすＷＬＡＮ３０に対して、例えば、以下の優先度を付ける。なお、優先度の数字が大きいほど、優先度が高く、第１の優先度が最も高く、第４の優先度が最も低い。
【００８０】
「第１の優先度」：ユーザの好みのＷＬＡＮ３０であり、且つ、ＷＬＡＮ制御情報に含まれるＷＬＡＮ３０
「第２の優先度」：ユーザの好みのＷＬＡＮ３０であり、且つ、ＷＬＡＮ制御情報に含まれないＷＬＡＮ３０
「第３の優先度」：ユーザの好みのＷＬＡＮ３０でなく、且つ、ＷＬＡＮ制御情報に含まれるＷＬＡＮ３０
「第４の優先度」：ユーザの好みのＷＬＡＮ３０でなく、且つ、ＷＬＡＮ制御情報に含まれないＷＬＡＮ３０
【００８１】
ＵＥ１００は、例えば、優先度が高いＷＬＡＮ３０を収容ネットワークに決定する。このように、ＵＥ１００は、ＷＬＡＮ制御情報に含まれるＷＬＡＮ３０（以下、指定ＷＬＡＮ３０と適宜称する）が、ユーザの好むＷＬＡＮ３０でない場合、ＷＬＡＮ制御情報に含まれるＷＬＡＮ３０よりもユーザの好むＷＬＡＮ３０を優先させる。すなわち、ＵＥ１００は、ユーザプリファレンスに基づいて、指定ＷＬＡＮ３０の優先度を下げる。これにより、収容ネットワークが選択される際に、ユーザプリファレンスが考慮されるため、適切なＷＬＡＮ３０を選択できる。
【００８２】
なお、複数のＷＬＡＮ３０の優先度が同じである場合、取得したＷＬＡＮパラメータに基づいて、優先付けてもよい。
【００８３】
また、ＵＥ１００は、例えば、所定の優先度以上であるＷＬＡＮ３０を対象として、収容ネットワークを決定するための動作を開始してもよい。収容ネットワークを決定するための動作とは、収容ネットワークを決定する動作、又は、収容ネットワークを決定するためにＷＬＡＮパラメータの取得する動作である。例えば、ＵＥ１００は、一部のＷＬＡＮパラメータ（例えば、ＲＳＳＩ）しか取得していない場合、他のＷＬＡＮパラメータ（例えば、負荷状況）を取得する。
【００８４】
ＵＥ１００は、例えば、「第１の優先度」と「第２の優先度」のＷＬＡＮ３０を対象として、収容ネットワークを決定するための動作を行う場合、「第３の優先度」を持つユーザの好みでない指定ＷＬＡＮ３０は、当該対象から外される。従って、ＵＥ１００は、セルラＲＡＮから指定されたＷＬＡＮ３０は、を無視する。一方で、ＵＥ１００は、「第２の優先度」を持つ指定ＷＬＡＮ３０でなくユーザの好みのＷＬＡＮ３０を、当該対象に含める。このように、収容ネットワークが選択される際に、ユーザプリファレンスが考慮されるため、適切なＷＬＡＮ３０を選択できる。
【００８５】
第２に、ＵＥ１００は、選択パラメータに基づいて、ＷＬＡＮ３０を優先付ける。具体的には、ＵＥ１００は、選択パラメータであるオフセット値（α）及び／又は閾値（β）に基づいて、収容ネットワークの選択規則である以下の式（１）から（１０）の少なくともいずれか１つ以上を用いて、ＷＬＡＮ３０を選択する。
【００８６】
・（ＲＳＳＩ  ｏｆ  ｏｐｅｒａｔｏｒ  ＷＬＡＮ）  ＞  （ＲＳＳＩ  ｏｆ  ｐｒｅｆｅｒｒｅｄ  ＷＬＡＮ）  ＋  α［ｄＢ］    ・・・  （式１）
・（ＲＳＳＩ  ｏｆ  ｏｐｅｒａｔｏｒ  ＷＬＡＮ）  ＞  β［ｄＢｍ］    ・・・  （式２）
・（Ｌｏａｄ  ｓｔａｔｕｓ  ｏｆ  ｏｐｅｒａｔｏｒ  ＷＬＡＮ）  ＞  （Ｌｏａｄ  ｓｔａｔｕｓ  ｏｆ  ｐｒｅｆｅｒｒｅｄ  ＷＬＡＮ）  ＋  α［％］    ・・・  （式３）
・（Ｌｏａｄ  ｓｔａｔｕｓ  ｏｆ  ｏｐｅｒａｔｏｒ  ＷＬＡＮ）  ＞  β［％］    ・・・  （式４）
・（ＣｈａｎｎｅｌＵｔｉｌｉｚａｔｉｏｎ  ｏｆ  ｏｐｅｒａｔｏｒ  ＷＬＡＮ）  ＜  （ＣｈａｎｎｅｌＵｔｉｌｉｚａｔｉｏｎ  ｏｆ  ｐｒｅｆｅｒｒｅｄ  ＷＬＡＮ）  ＋α［ＢＳＳ  ｌｏａｄ］    ・・・  （式５）
・（ＣｈａｎｎｅｌＵｔｉｌｉｚａｔｉｏｎ  ｏｆ  ｏｐｅｒａｔｏｒ  ＷＬＡＮ）  ＜  β［ＢＳＳ  ｌｏａｄ］・・・  （式６）
・（ＢａｃｋｈａｕｌＲａｔｅＤｌ  ｏｆ  ｏｐｅｒａｔｏｒ  ＷＬＡＮ）  ＞  （ＢａｃｋｈａｕｌＲａｔｅＤｌ  ｏｆ  ｐｒｅｆｅｒｒｅｄ  ＷＬＡＮ）  ＋α    ・・・  （式７）
・（ＢａｃｋｈａｕｌＲａｔｅＤｌ  ｏｆ  ｏｐｅｒａｔｏｒ  ＷＬＡＮ）  ＞  β・・・  （式８）
・（ＢａｃｋｈａｕｌＲａｔｅＵｌ  ｏｆ  ｏｐｅｒａｔｏｒ  ＷＬＡＮ）  ＞  （ＢａｃｋｈａｕｌＲａｔｅＵｌ  ｏｆ  ｐｒｅｆｅｒｒｅｄ  ＷＬＡＮ）  ＋α    ・・・  （式９）
・（ＢａｃｋｈａｕｌＲａｔｅＵｌ  ｏｆ  ｏｐｅｒａｔｏｒ  ＷＬＡＮ）  ＞  β・・・  （式１０）
【００８７】
オペレータが管理するＷＬＡＮ３０（ｏｐｅｒａｔｏｒ  ＷＬＡＮ）が、ユーザの好むＷＬＡＮ３０でなく、且つ、指定ＷＬＡＮ３０である場合、選択パラメータが示す数値の大きさだけユーザの好むＷＬＡＮ３０が優先される。ＵＥ１００は、上記式が満たされた場合、ユーザの好むＷＬＡＮ３０よりも指定ＷＬＡＮ３０を選択することが好ましいと判定する。この場合、ＵＥ１００は、指定ＷＬＡＮ３０を収容ネットワークに決定してもよい。或いは、ＵＥ１００は、上記式が満たされたことをトリガとして、収容ネットワークを決定するための動作を開始してもよい。
【００８８】
選択パラメータは、収容ネットワークとしてユーザが好まないＷＬＡＮ３０を選択することが不可能な値であってもよい。これにより、ユーザの好むＷＬＡＮ３０が必ず選択されるため、ユーザプリファレンスが考慮される。
【００８９】
不可能な値とは、例えば、無限大（∞）、ＷＬＡＮ３０の送信電力以上の値、ＷＬＡＮ３０の負荷状況を示すパーセント以上の値（≧１００％）である。
【００９０】
第３に、ＵＥ１００は、所定の値の優先度（ランク）を設定し、ＷＬＡＮ３０を優先付ける。以下、図８を用いて、説明する。図８は、第１実施形態に係るＷＬＡＮ３０の優先付けを説明するためのフローチャートである。なお、以下のランクは、数値が大きい程、優先度が高いことを示す。
【００９１】
図８に示すように、ステップＳ２０１において、ＵＥ１００は、ＡＰ３００からの信号の測定した結果をメモリ１５０から読み出す。測定結果は、ＡＰ３００の識別子（ＳＳＩＤ）を含む。ＵＥ１００は、各ＡＰ３００の結果について、ステップＳ２０２の処理を実行する。
【００９２】
ステップＳ２０２において、ＵＥ１００は、測定から得られたＡＰ３００の識別子がオペレータが管理するＡＰ（Ｏｐｅｒａｔｏｒ  ＡＰ）の識別子か否かを判定する。ＵＥ１００は、当該ＡＰ３００の識別子がオペレータが管理するＡＰの識別子であると判定した場合、ＡＰ３００のランクを「３」に設定し、測定から得られた未処理のＡＰ３００の識別子について、ステップＳ２０２の処理を実行する。一方、ＵＥ１００は、ＡＰ３００の識別子がオペレータが管理するＡＰの識別子でないと判定した場合、ステップＳ２０３の処理を実行する。
【００９３】
ステップＳ２０３において、ＵＥ１００は、測定から得られたＡＰ３００の識別子が選好リストに登録されているか否かを判定する。ＵＥ１００は、当該ＡＰ３００の識別子が選好リストに登録されている場合、ＡＰ３００のランクを「５」に設定し、測定から得られた未処理のＡＰ３００の識別子について、ステップＳ２０２の処理を実行する。一方、ＵＥ１００は、当該ＡＰ３００の識別子が選好リストに登録されていない場合、ＡＰ３００のランクを「１」に設定し、測定から得られた未処理のＡＰ３００の識別子について、ステップＳ２０２の処理を実行する。ＵＥ１００は、測定から得られた全てのＡＰ３００の識別子について、判定した場合、処理を終了する。
【００９４】
このように、ＵＥ１００は、ユーザプリファレンスに基づいて、測定から得られたＡＰ３００にランクを設定することにより、ＡＰ３００を優先付けることができる。その結果、収容ネットワークが選択される際に、ユーザプリファレンスが考慮されるため、適切なＷＬＡＮ３０を選択できる。
【００９５】
また、上述の第１から第３の方法において、ＵＥ１００は、ユーザの好みのＷＬＡＮ３０と接続している場合、ＷＬＡＮ３０の優先付けを省略してもよいし、収容ネットワークを決定するための動作を省略してもよい。これにより、ＵＥ１００は、ユーザの好みのＷＬＡＮ３０との接続を維持することができる。
【００９６】
［第２実施形態］
次に、第２実施形態に係る動作シーケンスについて、説明する。上述した第１実施形態と異なる部分を中心に説明し、同様の部分は、説明を適宜省略する。上述した第１実施形態では、ＲＡＮ  Ｓｏｌｕｔｉｏｎ１及びＲＡＮ  Ｓｏｌｕｔｉｏｎ２に関する説明であったが、第２実施形態では、ＲＡＮ  Ｓｏｌｕｔｉｏｎ３に関する説明である。
【００９７】
（１）動作シーケンス１
動作シーケンス１について、図９を用いて説明する。図９は、第２実施形態に係る動作シーケンス１を説明するためのシーケンス図である。
【００９８】
図９に示すように、ステップＳ３０１において、ｅＮＢ２００は、通信回線の輻輳が発生していることを検出する（Ｃｏｎｇｅｓｔｉｏｎ  ｄｅｔｅｃｔｉｏｎ）。例えば、ｅＮＢ２００のバッファ容量の使用率が閾値を上回った場合に輻輳の発生を検出する。
【００９９】
ステップＳ３０２において、ｅＮＢ２００は、オフロード対象のＵＥ１００に対して、ＷＬＡＮ測定を制御するためのＷＬＡＮ測定指示（Ｍｅａｓｕｒｅｍｅｎｔ  Ｃｏｎｔｒｏｌ）を送信する。ＷＬＡＮ測定指示は、ＷＬＡＮ制御情報を含む。また、ＷＬＡＮ測定指示は、ＷＬＡＮ測定の結果を報告するためのＷＬＡＮ測定報告をｅＮＢ２００に送信するトリガを示すトリガ情報を含む。
【０１００】
ここで、上述第１実施形態における（式１）、（式３）、（式５）、（式７）、（式９）は、複数のＷＬＡＮ３０のそれぞれから取得したＷＬＡＮパラメータを比較しているタイプであり、タイプ１と称する。一方、上述第１実施形態における（式２）、（式４）、（式６）、（式８）、（式１０）は、一つのＷＬＡＮ３０から主としたＷＬＡＮパラメータを閾値と比較し、他のＷＬＡＮパラメータと比較していないタイプであり、タイプ２と称する。
【０１０１】
ここでは、ＷＬＡＮ制御情報は、閾値αを示す情報と、タイプ１をトリガする情報を含むと仮定して説明を進める。
【０１０２】
ステップＳ３０３において、ＵＥ１００は、ＡＰ３００の信号を探索（測定）し、オペレータが管理するＡＰ３００であるオペレータＡＰ３００と、オペレータが管理しないＡＰ３００である非オペレータＡＰ３００とから、ビーコン信号を受信する。
【０１０３】
ステップＳ３０４において、ＵＥ１００は、閾値α［ｄＢ］を示す情報及びタイプ１をトリガする情報に基づいて、式（１）を選択したと仮定する。
【０１０４】
ＵＥ１００は、選択した式（１）を用いて、ＷＬＡＮ３０（ＡＰ３００）の優先付けを行い、ＷＬＡＮ測定報告の要否の判定を行う。具体的には、ＵＥ１００は、オペレータＡＰ３００の受信信号強度が、非オペレータＡＰ３００の受信信号強度に閾値を加えた値よりも大きいか否かを判定する。ＵＥ１００は、式（１）を満たすと判定した場合、ステップＳ３０５の処理を実行する。一方、ＵＥ１００は、式（１）を満たさないと判定した場合、処理を終了する。
【０１０５】
ステップＳ３０５において、ＵＥ１００は、ＷＬＡＮ測定指示に含まれるトリガ情報に基づいて、ＷＬＡＮ測定報告の送信をトリガするイベント（すなわち、ＷＬＡＮ測定報告の送信のトリガとなる所定の条件が満たされたこと）を検知する。
【０１０６】
ステップＳ３０６において、ＵＥ１００は、ＷＬＡＮ測定の結果を報告するためのＷＬＡＮ測定報告をｅＮＢ２００に送信する。ＷＬＡＮ測定報告は、例えば、ＷＬＡＮ３０を示す識別子及びＷＬＡＮ測定結果（ビーコン信号の受信電力、ＡＰ３００の負荷状況等のＡＰ３００から取得したＷＬＡＮパラメータ）を含む。
【０１０７】
（２）動作シーケンス２
動作シーケンス２について、図１０を用いて説明する。図１０は、第２実施形態に係る動作シーケンス２を説明するためのシーケンス図である。
【０１０８】
動作シーケンス２は、動作シーケンス１と異なり、タイプ２の式（２）を用いて、ＷＬＡＮ３０（ＡＰ３００）の優先付けを行う。
【０１０９】
図１０において、ステップＳ４０１及びＳ４０２は、ステップＳ３０１及びＳ３０２に対応する。
【０１１０】
ステップＳ４０２において、ＷＬＡＮ制御情報は、閾値βを示す情報と、タイプ２をトリガする情報を含む。
【０１１１】
ステップＳ４０３において、ＵＥ１００は、オペレータＡＰ３００からビーコン信号を受信する。
【０１１２】
ステップＳ４０４において、ＵＥ１００は、閾値β［ｄＢｍ］を示す情報及びタイプ２をトリガする情報に基づいて、式（２）を選択したと仮定する。
【０１１３】
ＵＥ１００は、選択した式（２）を用いて、ＷＬＡＮ３０（ＡＰ３００）の優先付けを行う。具体的には、ＵＥ１００は、オペレータＡＰ３００の受信信号強度が、閾値を加えた値よりも大きいか否かを判定する。ＵＥ１００は、式（２）を満たすと判定した場合、ステップＳ４０５の処理を実行する。一方、ＵＥ１００は、式（２）を満たさないと判定した場合、処理を終了する。
【０１１４】
ステップＳ４０５及びＳ４０６は、ステップＳ３０５及びＳ３０６に対応する。
【０１１５】
（３）動作シーケンス３
動作シーケンス３について、図１１を用いて説明する。図１１は、第２実施形態に係る動作シーケンス３を説明するためのシーケンス図である。
【０１１６】
動作シーケンス３は、動作シーケンス１と異なり、ＷＬＡＮ測定報告を行う。また、ＵＥ１００は、ＷＬＡＮ３０（ＡＰ３００）の優先度をＷＬＡＮ測定報告に含める。なお、動作シーケンス３では、ステップＳ３０４に対応する処理は行われない。
【０１１７】
図１１において、ステップＳ５０１からＳ５０４は、ステップＳ３０１からＳ３０３、Ｓ３０５に対応する。なお、ステップＳ５０２において、ｅＮＢ２００は、ＵＥ１００が受信したビーコン信号の全てのＷＬＡＮ測定結果を報告するように要求してもよい。また、ステップＳ５０４において、ＵＥ１００は、ＷＬＡＮ測定報告の送信のトリガとなるイベントを検知した場合に、ステップＳ５０５の処理を実行する。ここで、ＵＥ１００は、ＷＬＡＮ測定指示に含まれるＷＬＡＮ３０（ＡＰ３００）の識別子、ＷＬＡＮ制御情報に含まれるＷＬＡＮ３０の識別子（又はＷＬＡＮ識別子リスト内の識別子）、及び、ＵＥ１００のユーザが入力したＷＬＡＮ３０の識別子（例えば、選好リスト内のＡＰ３００の識別子）の少なくともいずれかに対応する１以上のＡＰ３００から受信した無線信号に関するＷＬＡＮ測定結果が、ＷＬＡＮ測定報告の送信のトリガとなる所定の条件を満たした場合、イベントを検知したと判定してもよい。
【０１１８】
例えば、ＵＥ１００は、ＷＬＡＮ測定結果が以下の式（所定の条件）の少なくともいずれかを満たした場合に、イベントを検知したと判定できる。
【０１１９】
・ＣｈａｎｎｅｌＵｔｉｌｉｚａｔｉｏｎＷＬＡＮ  ＜  ＴｈｒｅｓｈＣｈＵｔｉｌＷＬＡＮ，  Ｌｏｗ
・ＢａｃｋｈａｕｌＲａｔｅＤｌＷＬＡＮ  ＞  ＴｈｒｅｓｈＢａｃｋｈＲａｔｅＤＬＷＬＡＮ，  Ｈｉｇｈ
・ＢａｃｋｈａｕｌＲａｔｅＵｌＷＬＡＮ  ＞  ＴｈｒｅｓｈＢａｃｋｈＲａｔｅＵＬＷＬＡＮ，  Ｈｉｇｈ
・ＢｅａｃｏｎＲＳＳＩ  ＞  ＴｈｒｅｓｈＢｅａｃｏｎＲＳＳＩＷＬＡＮ，  Ｈｉｇｈ
【０１２０】
なお、「ＴｈｒｅｓｈＣｈＵｔｉｌＷＬＡＮ，  Ｌｏｗ」、「ＴｈｒｅｓｈＢａｃｋｈＲａｔｅＤＬＷＬＡＮ，  Ｈｉｇｈ」、「ＴｈｒｅｓｈＢａｃｋｈＲａｔｅＵＬＷＬＡＮ，  Ｈｉｇｈ」及び「ＴｈｒｅｓｈＢｅａｃｏｎＲＳＳＩＷＬＡＮ，  Ｈｉｇｈ」は、閾値であり、ＷＬＡＮ制御情報（補助情報）に含まれていてもよいし、ＷＬＡＮ測定指示に含まれていてもよい。
【０１２１】
ステップＳ５０５において、ＵＥ１００は、ＷＬＡＮ測定報告を生成する。
【０１２２】
まず、ＵＥ１００は、上述した第１実施形態と同様に、ビーコン信号を受信した各ＡＰ３００に対して、ＡＰ３００の優先度（ランク）を設定する。また、第１実施形態のように数値ではなく、「Ｈｉｇｈ」／「Ｌｏｗ」をＡＰの優先度に設定してもよい。これにより、１ｂｉｔの情報により、優先度を表すことができる。ランクは、「０」、「１」、「２」、「３」の２ｂｉｔの情報により、優先度を表してもよい。
【０１２３】
また、ＵＥ１００は、ユーザの入力によってＵＥ１００にプロファイル保存されたＡＰ３００（自宅ＡＰ）の優先度を高く設定してもよい。また、ＵＥ１００は、ビーコン信号の測定中、ＷＬＡＮ測定報告の生成中、或いは、所定期間内のいずれかの時に、ユーザがマニュアル選択したＡＰの優先度を高く設定してもよいし、過去の操作履歴を参照してマニュアル選択したＡＰの優先度を高く設定してもよい。
【０１２４】
また、ＵＥ１００は、取得したＷＬＡＮパラメータ（例えば、ＲＳＳＩ）が閾値を下回っているＡＰ３００の優先度を低く設定してもよい。また、ＵＥ１００は、無線信号の送信元のＡＰ３００がセルラ・ＷＬＡＮアグリゲーションの対象（候補）としてセルラＲＡＮ（ｅＮＢ２００）から指定されている場合に、当該ＡＰ３００の優先度を高く設定してもよい。なお、セルラ・ＷＬＡＮアグリゲーションは、同一の又は異なるデータベアラに属するトラフィック（ユーザデータ）をセルラ通信及びＷＬＡＮ通信を併用して送受信する通信方式である。
【０１２５】
図１１に示すように、ＵＥ１００は、例えば、ＷＬＡＮ３０の識別子（ＳＳＩＤ）、ＷＬＡＮ３０の受信信号強度（ＲＳＳＩ）及びＷＬＡＮ３０の優先度（Ｒａｎｋ）をＷＬＡＮ測定報告に含める。ＵＥ１００は、ＷＬＡＮ測定報告に他の情報（ＡＰ３００の負荷状況）を含めてもよい。なお、ＵＥ１００は、セルラＲＡＮから指定されたＡＰ３００だけでなく、ビーコン信号を受信した各ＡＰ３００に関するＷＬＡＮ測定報告を行う。すなわち、ＵＥ１００は、ＷＬＡＮ測定報告の送信のトリガとなる所定の条件を満たしていない各ＡＰ３００のＷＬＡＮ測定結果をＷＬＡＮ測定報告に含めることができる。従って、ＵＥ１００は、例えば、取得したＷＬＡＮパラメータ（例えば、ＲＳＳＩ）が閾値を上回っているＡＰ３００のＷＬＡＮ測定結果（すなわち、取得したＷＬＡＮパラメータ）をＷＬＡＮ測定報告に含めてもよいし、当該ＡＰ３００の優先度のみをＷＬＡＮ測定報告に含めてもよい。或いは、ＵＥ１００は、ビーコン信号を受信した全てのＡＰ３００のＷＬＡＮ測定結果をＷＬＡＮ測定報告に含めてもよい。このように、ＵＥ１００が、所定の条件を満たしていない各ＡＰ３００のＷＬＡＮ測定結果をＷＬＡＮ測定報告に含めることによって、ｅＮＢ２００は、ＷＬＡＮ通信におけるＵＥ１００の無線環境を知ることができる。その結果、ｅＮＢ２００は、適切なＷＬＡＮ３０を選択できる。
【０１２６】
また、ＷＬＡＮ測定報告を受信したｅＮＢ２００は、ＷＬＡＮ測定報告（特に、優先度）及びＲＡＮの負荷等に基づいて、オフロードの実行を指示するＳｔｅｅｒｉｎｇ  ｃｏｍｍａｎｄ（オフロード指示）をＵＥ１００に送信できる。ｅＮＢ２００は、ＷＬＡＮ測定報告に含まれる優先度に基づいて、オフロードの実行を指示するため、収容ネットワークが選択される際に、ユーザプリファレンスが考慮される。その結果、適切なＷＬＡＮ３０が選択される。
【０１２７】
（４）動作シーケンス４
動作シーケンス４について、図１２及び図１３を用いて説明する。図１２は、第２実施形態に係る動作シーケンス４を説明するためのシーケンス図である。図１３は、ＵＥ１００がＷＬＡＮ測定報告に含めるＡＰ３００を選択するためのフローチャートである。
【０１２８】
動作シーケンス４は、動作シーケンス３と異なり、前提として、ＵＥ１００は、セルラＲＡＮから指定されたＡＰ３００に関するＷＬＡＮ測定報告を行う。従って、ＵＥ１００は、原則的に、セルラＲＡＮから指定されたＡＰ３００以外のＡＰ１００に関するＷＬＡＮ測定報告を行わない。しかしながら、動作シーケンス４では、以下のように、ＵＥ１００は、例外的に、セルラＲＡＮから指定されたＡＰ３００以外のＡＰ１００に関するＷＬＡＮ測定報告を行うことができる。なお、指定されたＡＰ３００は、ｅＮＢ２００から指定（設定）されたＡＰ３００であってもよいし、ＡＮＤＳＦサーバ６００から指定されたＡＰ３００であってもよい。
【０１２９】
図１２において、ステップＳ６０１からＳ６０４は、ステップＳ５０１からＳ５０４に対応する。
【０１３０】
ステップＳ６０５において、ＵＥ１００は、ＷＬＡＮ測定報告を生成する。ＵＥ１００は、セルラＲＡＮから指定されていないユーザが好むＡＰ３００に関する情報を、ＷＬＡＮ測定報告に含める。具体的には、ＵＥ１００は、図１３に示す処理を行う。
【０１３１】
図１３において、ステップＳ７０１は、ステップＳ２０１に対応する。ＵＥ１００は、各ＡＰ３００の測定結果について、ステップＳ７０２の処理を実行する。
【０１３２】
ステップＳ７０２において、ＵＥ１００は、測定から得られたＡＰ３００の識別子がオペレータＡＰの識別子か否かを判定する。ＵＥ１００は、当該ＡＰ３００の識別子がオペレータＡＰの識別子であると判定した場合、ＷＬＡＮ測定報告に当該ＡＰ（の識別子）を含め、測定から得られた未処理のＡＰ３００の識別子について、ステップＳ７０２の処理を実行する。一方、ＵＥ１００は、当該ＡＰ３００の識別子がオペレータＡＰの識別子でないと判定した場合、ステップＳ７０３の処理を実行する。
【０１３３】
なお、ＵＥ１００は、ステップＳ６０２におけるＷＬＡＮ測定指示にＡＰ３００の識別子が含まれる場合、測定から得られたＡＰ３００の識別子がＷＬＡＮ測定指示に含まれるＡＰ３００の識別子と一致するか否かを判定してもよい。この場合、ＵＥ１００は、測定から得られたＡＰ３００の識別子がオペレータＡＰの識別子でない場合に、ステップＳ７０３の処理を実行する。なお、ＷＬＡＮ測定指示に含まれるＡＰ３００の識別子は、オペレータＡＰの識別子でなくてもよい。この場合、ＷＬＡＮ測定指示において、ＡＰ３００の識別子とオペレータＡＰの識別子か否かを示すフラグとが関連付けられていてもよい。ＵＥ１００は、ＷＬＡＮ測定指示が当該フラグを含まない場合、ＷＬＡＮ測定指示に含まれるＡＰ３００の識別子は、オペレータＡＰの識別子であると判定してもよい。
【０１３４】
ステップＳ７０３において、ＵＥ１００は、当該ＡＰ３００の識別子がユーザの好みであるか否かを判定する。具体的には、ＵＥ１００は、当該ＡＰ３００の識別子が選好リストに登録されたＷＬＡＮ３０の識別子と一致するか否かを判定する。ＵＥ１００は、当該ＡＰ３００がユーザの好みであると判定した場合、ＷＬＡＮ測定報告に「ユーザの好みのＡＰ」として当該ＡＰ（の識別子）を含め、測定から得られた未処理のＡＰ３００の識別子について、ステップＳ７０２の処理を実行する。一方、ＵＥ１００は、当該ＡＰ３００がユーザの好みでないと判定した場合、ステップＳ７０４の処理を実行する。
【０１３５】
ステップＳ７０４において、ＵＥ１００は、当該ＡＰ３００の識別子がＵＥ１００の中に登録されているか否かを判定する。具体的には、ＵＥ１００は、当該ＡＰ３００の識別子が選好リストを除いてＵＥ１００のメモリ１５０に登録されたＷＬＡＮ３０の識別子と一致するか否かを判定する。
【０１３６】
ここで、選好リストを除いてＵＥ１００のメモリ１５０に登録されたＷＬＡＮ３０の識別子とは、例えば、ＵＥ１００が過去に接続することによってメモリ１５０に登録されたＷＬＡＮ３０の識別子であり、且つ、選好リストには登録されていないＷＬＡＮ３０の識別子である。
【０１３７】
ＵＥ１００は、当該ＡＰ３００が登録されたＷＬＡＮ３０であると判定した場合、ＷＬＡＮ測定報告に「登録されたＡＰ」として当該ＡＰ（の識別子）を含め、測定から得られた未処理のＡＰ３００の識別子について、ステップＳ７０２の処理を実行する。一方、ＵＥ１００は、当該ＡＰ３００が登録されたＷＬＡＮ３０でないと判定した場合、ＷＬＡＮ測定報告に当該ＡＰ（の識別子）を含めない。
【０１３８】
ＵＥ１００は、測定から得られた全てのＡＰ３００の識別子について、判定した場合、処理を終了する。
【０１３９】
図１２の説明に戻って、ＵＥ１００は、セルラＲＡＮから指定されていないＡＰ３００をＷＬＡＮ測定報告に含めた理由を示す情報（例えば、自宅ＡＰである）をＷＬＡＮ測定報告に含めてもよい。
【０１４０】
ＷＬＡＮ測定報告を受信したｅＮＢ２００は、ＷＬＡＮ測定報告（特に、指定されていないＡＰ３００に関する情報）及びＲＡＮの負荷等に基づいて、オフロードの実行を指示するＳｔｅｅｒｉｎｇ  ｃｏｍｍａｎｄ（オフロード指示）をＵＥ１００に送信する。ｅＮＢ２００は、指定されていないＡＰ３００に関する情報に基づいて、オフロードの実行を指示するため、収容ネットワークが選択される際に、ユーザプリファレンスが考慮される。その結果、適切なＷＬＡＮ３０が選択される。
【０１４１】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１４２】
上述した実施形態では、選択パラメータ（α、β）は、ＷＬＡＮ制御情報に含まれていたが、これに限られない。収容ネットワークの選択規則の一部として選択パラメータが含まれていてもよい。
【０１４３】
また、選択パラメータは、ＵＥ１００がＷＬＡＮ３０の優先付けを行う場合、常に用いられるパラメータであってもよいし、例えば、優先度が同じ場合などの特定の条件下では、用いられないものであってもよい。
【０１４４】
上述した第２実施形態に係る動作シーケンス３，４において、ＵＥ１００は、ＷＬＡＮ測定指示の要求をｅＮＢ２００に送信してもよい。例えば、ＵＥ１００は、ＷＬＡＮ測定指示に、選好リストに登録されたＷＬＡＮ３０の識別子が含まれていない場合、ＷＬＡＮ測定指示の要求を行ってもよい。ＷＬＡＮ測定指示の要求は、選好リストに登録されたＷＬＡＮ３０の識別子が含まれていてもよい。また、ＵＥ１００は、ＷＬＡＮ測定指示に対する応答に、選好リストに登録されたＷＬＡＮ３０をＷＬＡＮ測定報告に含める旨を含めてもよい。
【０１４５】
上述した第１実施形態では、ＷＬＡＮ３０の優先付けが行われるが、ＷＬＡＮ測定報告が行われなかった。しかしながら、上述した第１実施形態において、ＷＬＡＮ測定報告が行われてもよい。この場合、上述の第２実施形態におけるＷＬＡＮ測定報告と同様の動作を行ってもよい。
【０１４６】
また、上述した第２実施形態では、ＷＬＡＮ測定報告が行われていたが、必ずしもＷＬＡＮ測定報告が行われなくてもよい。例えば、ｅＮＢ２００は、オフロードの実行を指示するオフロード指示（Ｓｔｅｅｒｉｎｇ  ｃｏｍｍａｎｄ）をＵＥ１００に送信する。オフロード指示は、ステアリング先であるＷＬＡＮ３０（ＡＰ３００）の識別子及び選択パラメータを含む。オフロード指示を受信したＵＥ１００は、ステアリング先であるＷＬＡＮ３０の識別子及び選択パラメータ（α、β）と、ＷＬＡＮ測定の結果とに基づいて、ＷＬＡＮ３０の優先付けを行ってもよい。ＵＥ１００は、ＷＬＡＮ３０の優先付けの結果に基づいて、最終的なステアリング先のＷＬＡＮ３０を決定してもよい。
【０１４７】
上述した各実施形態では、セルラ通信システムの一例としてＬＴＥシステムを説明したが、ＬＴＥシステムに限定されるものではなく、ＬＴＥシステム以外のシステムに本発明を適用してもよい。上述した各実施形態において、ｅＮＢ２００（基地局）が行っている動作は、基地局に代えて、他のＲＡＮノード（例えばＲＮＣ）が行ってもよい。
【０１４８】
なお、日本国特許出願第２０１３−２６４６１２号（２０１３年１２月２０日出願）の全内容が、参照により、本願明細書に組み込まれている。
【産業上の利用可能性】
【０１４９】
以上のように、本実施形態に係る通信制御方法は、ユーザ端末のトラフィックを収容するアクセスネットワークが選択される際に適切な接続先を選択できるため、移動通信分野において有用である。
【図１】
2015093569.tif 000003
【図２】
2015093569.tif 000004
【図３】
2015093569.tif 000005
【図４】
2015093569.tif 000006
【図５】
2015093569.tif 000007
【図６】
2015093569.tif 000008
【図７】
2015093569.tif 000009
【図８】
2015093569.tif 000010
【図９】
2015093569.tif 000011
【図１０】
2015093569.tif 000012
【図１１】
2015093569.tif 000013
【図１２】
2015093569.tif 000014
【図１３】
2015093569.tif 000015
【国際調査報告】
2015093569.tif 000016
2015093569.tif 000017
2015093569.tif 000018
2015093569.tif 000019
2015093569.tif 000020
2015093569.tif 000021